(57)【要約】      （修正有）【課題】携帯電話からの音声をガイドして音量を３倍以上に拡大することが可能な携帯電話ケース用拡音装置を提供する。【解決手段】携帯電話に組み付けられ、携帯電話を保護する携帯電話ケースを含む携帯電話ケース用拡音装置において、携帯電話ケースの携帯電話のスピーカーによる音声の出口に対応する位置に、二つの出口を有する音波ガイド通路１１が設けられ、音波ガイド通路の断面積を徐々に拡大することにより、音量を３倍以上に増幅することが可能である。携帯電話ケースの一側辺に音波出口が設けられ、音波出口は、音波ガイド通路の最大開口側１１１と連通しており、増幅された音声を外部に有効に出力することが可能である。【選択図】図１
0003187025.tif 000002
【実用新案登録請求の範囲】
【請求項１】
携帯電話に組み付けられていることが可能であり、前記携帯電話を保護する携帯電話ケースを含む携帯電話ケース用拡音装置において、
前記携帯電話ケースの前記携帯電話のスピーカーによる音声の出口に対応する位置には、二つの出口を有する音波ガイド通路が設けられており、前記音波ガイド通路の断面積が徐々に拡大していることにより、音量を３倍以上に拡大することが可能であり、前記携帯電話ケースの一側辺に音波出口が設けられており、前記音波出口は、前記音波ガイド通路の最大開口側と連通しており、音量が拡大された音声を外部に有効に出力することが可能であることを特徴とする携帯電話ケース用拡音装置。
【請求項２】
前記音波ガイド通路は、一本以上設けられていることを特徴とする、請求項１に記載の携帯電話ケース用拡音装置。
【請求項３】
前記音波出口は、前記携帯電話ケースの底面、前側面、後側面、左側面、又は右側面に設けられていることを特徴とする、請求項１に記載の携帯電話ケース用拡音装置。
【請求項４】
前記携帯電話ケースの内側面にリブが複数設けられており、これらの前記リブにより、前記携帯電話ケースは、強度が補強され、重量が減少され、原料である樹脂の使用量が減少されることを特徴とする、請求項１に記載の携帯電話ケース用拡音装置。
【請求項５】
携帯電話に組み付けられていることが可能であり、前記携帯電話を保護する携帯電話ケースを含む携帯電話ケース用拡音装置において、
前記携帯電話ケースの前記携帯電話のスピーカーによる音声の出口に対応する位置には、音波ガイド溝が設けられており、前記音波ガイド溝は、屈折を有しないように設けられており、又は複数の屈折を有するように設けられており、その断面積が徐々に拡大していることにより、音量を３倍以上に拡大することが可能であり、前記携帯電話ケースの一側辺に音波出口が設けられており、前記音波出口は、前記音波ガイド溝の最大開口側と連通しており、音量が拡大された音声を外部に有効に出力することが可能であることを特徴とする携帯電話ケース用拡音装置。
【請求項６】
前記音波ガイド溝は、一本以上設けられていることを特徴とする、請求項５に記載の携帯電話ケース用拡音装置。
【請求項７】
前記音波出口は、前記携帯電話ケースの底面、前側面、後側面、左側面、又は右側面に設けられていることを特徴とする、請求項５に記載の携帯電話ケース用拡音装置。
【請求項８】
携帯電話に組み付けられていることが可能であり、前記携帯電話を保護する携帯電話ケースを含む携帯電話ケース用拡音装置において、
前記携帯電話ケースの前記携帯電話のスピーカーによる音声の出口に対応する位置には、音波ガイドパッセージが設けられており、前記音波ガイドパッセージは、屈折を有しないように設けられており、又は複数の屈折を有するように設けられており、その断面積が徐々に拡大していることにより、音量を３倍以上に拡大することが可能であり、前記携帯電話ケースの一側辺に音波出口が設けられており、前記音波出口は、前記音波ガイドパッセージの最大開口側と連通しており、音量が拡大された音声を外部に有効に出力することが可能であることを特徴とする携帯電話ケース用拡音装置。
【請求項９】
前記音波ガイドパッセージは、一本以上設けられていることを特徴とする、請求項８に記載の携帯電話ケース用拡音装置。
【請求項１０】
前記音波出口は、前記携帯電話ケースの底面、前側面、後側面、左側面、又は右側面に設けられていることを特徴とする、請求項８に記載の携帯電話ケース用拡音装置。
【考案の詳細な説明】
【技術分野】
【０００１】
本考案は、携帯電話ケースに関し、特に、携帯電話からの音声をガイドして音声の音量を３倍以上に拡大することが可能な携帯電話ケース用拡音装置に関するものである。
【背景技術】
【０００２】
現在、携帯電話は日常生活の不可欠なものとなっており、複数の携帯電話を持っている国民は少なくない。携帯電話は、身の回りに携帯するものであるため、軽薄短小が強く要求されている。携帯電話の内部の空間が狭いため、携帯電話にハイパワーのスピーカーを組付けることができない。このため、携帯電話は、音量が小さいことが一般的であり、室外、又は騒々しい環境では、ユーザが携帯電話からの音声を良く聞くことができず、携帯電話に即時に応答できない可能性がある。
【考案の概要】
【考案が解決しようとする課題】
【０００３】
本考案の主な目的は、二つの出口を有する音波ガイド通路、又は音波ガイド溝を設けることにより、携帯電話からの音声をガイドして音声の音量を３倍以上に拡大することが可能な携帯電話ケース用拡音装置を提供することにある。
【課題を解決するための手段】
【０００４】
本考案の携帯電話ケース用拡音装置によると、携帯電話に組み付けられていることが可能であり、携帯電話を保護する携帯電話ケースを含む携帯電話ケース用拡音装置において、携帯電話ケースの携帯電話のスピーカーによる音声の出口に対応する位置には、二つの出口を有する音波ガイド通路が設けられており、音波ガイド通路の断面積が徐々に拡大していることにより、音量を３倍以上に拡大することが可能であり、携帯電話ケースの一側辺に音波出口が設けられており、音波出口は、音波ガイド通路の最大開口側と連通しており、音量が拡大された音声を外部に有効に出力することが可能であることを特徴とする。
【０００５】
本考案の携帯電話ケース用拡音装置によると、音波ガイド通路は、一本以上設けられていることを特徴とする。
【０００６】
本考案の携帯電話ケース用拡音装置によると、音波出口は、携帯電話ケースの底面、前側面、後側面、左側面、又は右側面に設けられていることを特徴とする。
【０００７】
本考案の携帯電話ケース用拡音装置によると、携帯電話ケースの内側面にリブが複数設けられており、これらのリブにより、携帯電話ケースは、強度が補強され、重量が減少され、原料である樹脂の使用量が減少されることを特徴とする。
【０００８】
本考案の携帯電話ケース用拡音装置によると、携帯電話に組み付けられていることが可能であり、携帯電話を保護する携帯電話ケースを含む携帯電話ケース用拡音装置において、携帯電話ケースの携帯電話のスピーカーによる音声の出口に対応する位置には、音波ガイド溝が設けられており、音波ガイド溝は、屈折を有しないように設けられており、又は複数の屈折を有するように設けられており、その断面積が徐々に拡大していることにより、音量を３倍以上に拡大することが可能であり、携帯電話ケースの一側辺に音波出口が設けられており、音波出口は、音波ガイド溝の最大開口側と連通しており、音量が拡大された音声を外部に有効に出力することが可能であることを特徴とする。
【０００９】
本考案の携帯電話ケース用拡音装置によると、音波ガイド溝は、一本以上設けられていることを特徴とする。
【００１０】
本考案の携帯電話ケース用拡音装置によると、音波出口は、携帯電話ケースの底面、前側面、後側面、左側面、又は右側面に設けられていることを特徴とする。
【００１１】
本考案の携帯電話ケース用拡音装置によると、携帯電話に組み付けられていることが可能であり、携帯電話を保護する携帯電話ケースを含む携帯電話ケース用拡音装置において、携帯電話ケースの携帯電話のスピーカーによる音声の出口に対応する位置には、音波ガイドパッセージが設けられており、音波ガイドパッセージは、屈折を有しないように設けられており、又は複数の屈折を有するように設けられており、その断面積が徐々に拡大していることにより、音量を３倍以上に拡大することが可能であり、携帯電話ケースの一側辺に音波出口が設けられており、音波出口は、音波ガイドパッセージの最大開口側と連通しており、音量が拡大された音声を外部に有効に出力することが可能であることを特徴とする。
【００１２】
本考案の携帯電話ケース用拡音装置によると、音波ガイドパッセージは、一本以上設けられていることを特徴とする。
【００１３】
本考案の携帯電話ケース用拡音装置によると、音波出口は、携帯電話ケースの底面、前側面、後側面、左側面、又は右側面に設けられていることを特徴とする。
【考案の効果】
【００１４】
本考案の携帯電話ケース用拡音装置によれば、携帯電話からの音声をガイドして音声の音量を３倍以上に拡大することが可能であるという効果を有する。
【図面の簡単な説明】
【００１５】
【図１】本考案の実施例１の前方から見た斜視図である。
【図２】本考案の実施例１の後方から見た斜視図である。
【図３】本考案の実施例２及び携帯電話の前方から見た分解斜視図である。
【図４】本考案の実施例２及び携帯電話の後方から見た分解斜視図である。
【図５】本考案の実施例３を示す斜視図である。
【図６】本考案の実施例３に携帯電話を組合せた状態を示す斜視図である。
【図７】本考案の実施例３及び携帯電話の後方から見た分解斜視図である。
【図８】本考案の実施例４を示す斜視図である。
【図９】本考案の実施例４及び携帯電話の後方から見た分解斜視図である。
【考案を実施するための最良の形態】
【００１６】
以下、本考案の実施の形態を図面に基づいて説明する。
（実施例１）
図１及び図２を参照する。図１は本考案の実施例１の前方から見た斜視図であり、図２は本考案の実施例１の後方から見た斜視図である。本実施例の携帯電話ケース用拡音装置は、携帯電話２０に組み付けられていることが可能であり、携帯電話２０を保護する携帯電話ケース１０を含む。
【００１７】
携帯電話ケース１０の携帯電話２０のスピーカー２１（図４参照）の音声出口２１１に対応する位置には、二つの出口を有する音波ガイド通路１１が設けられている。音波ガイド通路１１の断面積が徐々に拡大していることにより、音量を３倍以上に拡大することが可能である。携帯電話ケース１０の一側辺に音波出口１２が設けられている。音波出口１２は、音波ガイド通路１１の最大開口側１１１と連通している。このように、音量が拡大された音声を外部に有効に出力することが可能である。
【００１８】
音波ガイド通路１１は、一本以上設けられている。
【００１９】
音波出口１２は、携帯電話ケース１０の底面１３、前側面１４、後側面１５、左側面１６、又は右側面１７に設けられている。
【００２０】
携帯電話ケース１０の内側面１８にリブ１８１が複数設けられている。これらのリブ１８１により、携帯電話ケース１０は、強度が補強され、重量が減少され、原料である樹脂の使用量が減少される。
【００２１】
（実施例２）
図３及び図４を参照する。図３は本考案の実施例２及び携帯電話の前方から見た分解斜視図であり、図４は本考案の実施例２及び携帯電話の後方から見た分解斜視図である。本実施例の携帯電話ケース用拡音装置は、携帯電話２０に組み付けられていることが可能であり、携帯電話２０を保護する携帯電話ケース１０ａを含む。
【００２２】
携帯電話ケース１０ａの携帯電話２０のスピーカー２１の音声出口２１１に対応する位置には、音波ガイド溝１１ａが設けられている。音波ガイド溝１１ａは、その断面積が徐々に拡大していることにより、音量を３倍以上に拡大することが可能である。携帯電話ケース１０ａの一側辺に音波出口１２ａが設けられている。音波出口１２ａは、音波ガイド溝１１ａの最大開口側１１１ａと連通している。このように、音量が拡大された音声を外部に有効に出力することが可能である。
【００２３】
音波ガイド通路１１ａは、一本以上設けられている。
【００２４】
音波出口１２ａは、携帯電話ケース１０ａの底面１３ａ、前側面１４ａ、後側面１５ａ、左側面１６ａ、又は右側面１７ａに設けられている。
【００２５】
（実施例３）
図５から図７を参照する。図５は本考案の実施例３を示す斜視図であり、図６は本考案の実施例３に携帯電話を組合せた状態を示す斜視図であり、図７は本考案の実施例３及び携帯電話の後方から見た分解斜視図である。本実施例の携帯電話ケース用拡音装置は、携帯電話２０に組み付けられていることが可能であり、携帯電話２０を保護する携帯電話ケース１０ｂを含む。
【００２６】
携帯電話ケース１０ｂの携帯電話２０のスピーカー２１の音声出口２１１に対応する位置には、音波ガイド溝１１ｂが設けられている。音波ガイド溝１１ｂは、複数の屈折を有するように設けられており、その断面積が徐々に拡大していることにより、音量を３倍以上に拡大することが可能である。携帯電話ケース１０ｂの一側辺に音波出口１２ｂが設けられている。音波出口１２ｂは、音波ガイド溝１１ｂの最大開口側１１１ｂと連通している。このように、音量が拡大された音声を外部に有効に出力することが可能である。
【００２７】
音波ガイド通路１１ｂは、一本以上設けられている。
【００２８】
音波出口１２ｂは、携帯電話ケース１０ｂの底面１３ｂ、前側面１４ｂ、後側面１５ｂ、左側面１６ｂ、又は右側面１７ｂに設けられている。
【００２９】
（実施例４）
図８及び図９を参照する。図８は本考案の実施例４を示す斜視図であり、図９は本考案の実施例４及び携帯電話の後方から見た分解斜視図である。本実施例の携帯電話ケース用拡音装置は、携帯電話２０に組み付けられていることが可能であり、携帯電話２０を保護する携帯電話ケース１０ｃを含む。
【００３０】
携帯電話ケース１０ｃの携帯電話２０のスピーカー２１の音声出口２１１に対応する位置には、音波ガイドパッセージ１１ｃが設けられている。音波ガイドパッセージ１１ｃは、複数の屈折を有するように設けられており、その断面積が徐々に拡大していることにより、音量を３倍以上に拡大することが可能である。携帯電話ケース１０ｃの一側辺に音波出口１２ｃが設けられている。音波出口１２ｃは、音波ガイドパッセージ１１ｃの最大開口側１１１ｃと連通している。このように、音量が拡大された音声を外部に有効に出力することが可能である。
【００３１】
音波ガイド通路１１ｃは、一本以上設けられている。
【００３２】
音波出口１２ｃは、携帯電話ケース１０ｃの底面１３ｃ、前側面１４ｃ、後側面１５ｃ、左側面１６ｃ、又は右側面１７ｃに設けられている。
【産業上の利用可能性】
【００３３】
本考案は、携帯電話ケースに適用することができる。
【符号の説明】
【００３４】
１０  携帯電話ケース
１０ａ  携帯電話ケース
１０ｂ  携帯電話ケース
１０ｃ  携帯電話ケース
１１  音波ガイド通路
１１ａ  音波ガイド溝
１１ｂ  音波ガイド溝
１１ｃ  音波ガイドパッセージ
１２  音波出口
１２ａ  音波出口
１２ｂ  音波出口
１２ｃ  音波出口
１３  底面
１３ａ  底面
１３ｂ  底面
１３ｃ  底面
１４  前側面
１４ａ  前側面
１４ｂ  前側面
１４ｃ  前側面
１５  後側面
１５ａ  後側面
１５ｂ  後側面
１５ｃ  後側面
１６  左側面
１６ａ  左側面
１６ｂ  左側面
１６ｃ  左側面
１７  右側面
１７ｂ  右側面
１７ａ  右側面
１７ｃ  右側面
１８  内側面
２０  携帯電話
２１  スピーカー
１１１  最大開口側
１１１ａ  最大開口側
１１１ｂ  最大開口側
１１１ｃ  最大開口側
１８１  リブ
２１１  音声出口
【図１】
0003187025.tif 000003
【図２】
0003187025.tif 000004
【図３】
0003187025.tif 000005
【図４】
0003187025.tif 000006
【図５】
0003187025.tif 000007
【図６】
0003187025.tif 000008
【図７】
0003187025.tif 000009
【図８】
0003187025.tif 000010
【図９】
0003187025.tif 000011